(57)【要約】【課題】別の番組の映像でも録画中の番組のタイトルなどを確認できるようにすると共に、目的の録画番組を簡単に把握できるようにする。【解決手段】視聴中の番組とは別の番組をモニタ２９に表示させた状態で、メモリ１９に記憶した録画中の番組の番組情報をＯＳＤ２８により別の番組の映像にスーパーインポーズして表示する。これにより、別の番組の映像がモニタ２９に表示されていても、録画中の番組のタイトルなどを確認できるようになる。【選択図】図１
2008193750.tif 000002
【特許請求の範囲】
【請求項１】
視聴中の番組を録画するために録画モードが選択され、録画を実行する第１のステップと、
文字放送信号として番組情報を取得し、当該番組情報から前記第１のステップと同時に前記視聴中の番組の番組情報を抽出して記憶手段に記憶する第２のステップと、
前記視聴中の番組とは別の番組を表示させた状態で、前記第２のステップで前記記憶手段に記憶した録画中の番組の番組情報を前記別の番組の映像にスーパーインポーズして表示する第３のステップとを含む番組情報処理方法。
【請求項２】
視聴中の番組を録画するために録画モードを選択し、録画を実行する録画実行手段と、
文字放送信号として取得した番組情報から、前記録画実行手段による録画処理と同時に抽出された前記視聴中の番組の番組情報を記憶する記憶手段と、
前記視聴中の番組とは別の番組を表示させた状態で、前記記憶手段により記憶された録画中の番組の番組情報を前記別の番組の映像にスーパーインポーズして表示する表示手段とを有する番組情報処理装置。
【発明の詳細な説明】
【技術分野】
【０００１】
この発明は番組情報処理方法及び番組情報処理装置に関する。詳しくは、視聴中の番組とは別の番組を表示させた状態で、記憶手段に記憶した録画中の番組の番組情報を別の番組の映像にスーパーインポーズして表示することにより、別の番組の映像でも録画中の番組のタイトルなどを確認できるようにしたものである。
【背景技術】
【０００２】
文字放送はテレテキストと呼ばれる放送システムの一種であって、テレビション信号の垂直帰線期間の一部に、文字や図形などの文字情報（文字信号）をディジタル化して多重伝送し、受信側では多重された文字情報を復号して元の文字や図形などをモニタ（テレビ画面）上に表示できるようにしたものである。
【０００３】
この文字放送のメニューの中にはニュース、天気予報、株式情報などの他にテレビ番組ガイドなどが含まれている。このような文字放送は放送局独自の表示内容に基づいてサービスの提供が行われている。
【発明の開示】
【発明が解決しようとする課題】
【０００４】
ところで、文字放送は通常テレビモニタに、選択したメニューの内容を表示し、これをユーザが見てその内容を確認するだけである。例えばニュース番組ではその日のニュースを画面で見て、内容を把握するだけである。天気予報も同じである。テレビ番組も電子番組ガイドとして新聞のテレビ欄と同じような使い方がなされている。したがってそのチャネル（放送局）の放送時刻と番組タイトル、場合によってはその番組内容を確認するだけである。
【０００５】
このように従来では、文字放送の内容を画面上に表示はするものの、この表示内容を積極的に加工したり、利用することは行われていない。画面上に表示された内容を確認するだけでその主たる役目が充分果たせるからである。
【０００６】
しかし、画面に表示された内容を加工したり、利用できれば、非常に便利である。例えばテレビ番組などの場合には録画済みの番組を検索するようなとき、録画番組のタイトルなどが番組内容と同時にしかも自動的に記録媒体に記録されていれば、この番組タイトルを検索するだけで、目的の録画番組を簡単に把握できるからである。つまり録画内容を再生したりする作業を省くことができる。
【０００７】
そこで、この発明はこのような従来の課題を解決したものであって、別の番組の映像でも録画中の番組のタイトルなどを確認できるようにすると共に、目的の録画番組を簡単に把握できるようにした番組情報処理方法及び番組情報処理装置を提供することを目的とする。
【課題を解決するための手段】
【０００８】
上述した課題を解決するために、本発明に係る番組情報処理方法は、視聴中の番組を録画するために録画モードが選択され、録画を実行する第１のステップと、文字放送信号として番組情報を取得し、当該番組情報から前記第１のステップと同時に前記視聴中の番組の番組情報を抽出して記憶手段に記憶する第２のステップと、前記視聴中の番組とは別の番組を表示させた状態で、前記第２のステップで前記記憶手段に記憶した録画中の番組の番組情報を前記別の番組の映像にスーパーインポーズして表示する第３のステップとを含むものである。
【０００９】
上述した課題を解決するために、本発明に係る番組情報処理装置は、視聴中の番組を録画するために録画モードを選択し、録画を実行する録画実行手段と、文字放送信号として取得した番組情報から、前記録画実行手段による録画処理と同時に抽出された前記視聴中の番組の番組情報を記憶する記憶手段と、前記視聴中の番組とは別の番組を表示させた状態で、前記記憶手段により記憶された録画中の番組の番組情報を前記別の番組の映像にスーパーインポーズして表示する表示手段とを有するものである。
【００１０】
本発明に係る番組情報処理装置によれば、記憶手段は、文字放送信号として取得した番組情報から、録画実行手段による録画処理と同時に抽出された視聴中の番組の番組情報を記憶する。表示手段は、視聴中の番組とは別の番組を表示させた状態で、記憶手段により記憶された録画中の番組の番組情報を別の番組の映像にスーパーインポーズして表示する。これにより、別の番組の映像でも録画中の番組のタイトルなどを確認できるようになる。
【発明の効果】
【００１１】
本発明に係る番組情報処理方法及び番組情報処理装置によれば、視聴中の番組とは別の番組を表示させた状態で、記憶手段に記憶した録画中の番組の番組情報を別の番組の映像にスーパーインポーズして表示するものである。
【００１２】
これにより、別の番組の映像でも録画中の番組のタイトルなどを確認できると共に、目的の録画番組を簡単に把握できるようになる。
【発明を実施するための最良の形態】
【００１３】
続いて、この発明に係る番組情報処理方法及び番組情報処理装置の一実施形態を図面を参照して詳細に説明する。この番組情報処理装置は通常ＶＴＲに内蔵されている場合が多いので、まず内蔵型の番組情報処理装置に適用した場合について説明する。
【００１４】
図１はこの発明の一実施形態である文字放送受信装置１０の一例を示す系統図であって、アンテナ１２で受信された文字放送（文字信号）はチューナ１４によって目的の放送局が受信され、復調された映像信号は記録再生部１６に供給される。記録再生部１６にはビデオカセット１８を装填するためのビデオ機構部（図示はしない）の他に、ローディングされた記録テープに映像信号を記録したり、再生したりする記録再生回路などが含まれている。
【００１５】
復調されたテレビション信号のうち文字信号は後段の文字信号用デコーダ２０に供給されて文字信号がデコードされる。デコードされた文字信号のどれを使用するか、つまりどのジャンルの文字情報を使用するかなどの指令はマイコンを埋蔵した制御部２２から行われる。この制御部２２には制御プログラムが格納されたＲＯＭ(Read Only Memory)２４や、デコードされた文字情報を一時的にストアするためのＲＡＭ（Random Access Memory）２６が設けられている。
【００１６】
復号された文字信号（文字情報や図形情報）はオンスクリーンディスプレー（ＯＳＤ）２８によって映像表示信号に変換され、変換された映像表示信号はモニタ２９上に供給されて、文字情報が映像表示される。モニタ２９はテレビジョン受像機の画面が利用される。
【００１７】
上述したビデオカセット１８はメモリ付きのビデオカセットなどを使用することできる。このビデオカセット１８はカセットの内部に半導体メモリなどを用いたメモリＩＣ１９が内蔵されたもので、ビデオカセット１８を記録再生部１６に装填すると、メモリＩＣ１９の接点（入出力接点）と、装置側に設けられた接点（入出力接点）２１とが接触し、制御部２２からの情報をこのメモリＩＣ１９に書き込めるようになっている。そしてこのメモリＩＣ１９に書き込まれた情報を読み出してモニタ２９に表示することができる。
【００１８】
録画を指示したり、文字放送を受信したりする指令は、記録再生部１６に設けられたＶＴＲ用操作キー（図示はしない）やリモコン３４を使用して入力することができる。リモコン３４を使用する場合には受信部３２を介して制御部２２に指令信号が送り込まれる。
【００１９】
図２は文字放送を受信したときの表示画面構成の一例で、図の例はテレビ番組ガイドの表示内容の具体例である。同図に示す画面３６上には受信チャネル番号や現時刻が表示されるエリア３８が設けられる他、受信した放送局名を表示するエリア４１が設けられている。この他に、実際にその放送局で放送する１日の番組ガイドが表示される。
【００２０】
図では先頭エリア４２が放送時刻を表示するエリアとなされ、この放送時刻の後のエリア４４にその放送番組のタイトル（場合によっては、番組の内容）を示す文字列が表示される。また番組情報を表示するページ番号なども表示される。
【００２１】
画面表示形式は放送局によってまちまちであって、統一されていない。しかし、大凡エリア３６には放送時刻を表示するエリアとなされている。このエリア３６には放送時刻の他にページ番号などが表示される場合もある。このページ番号は通常番組タイトル４４に続けて表示される場合もある。
【００２２】
さて、ユーザは画面上に表示されたこのテレビ番組ガイド（電子番組ガイド）によって、見たい番組を検索したり、放送時刻や番組タイトルなどを確認できる。従来ではこのテレビ番組ガイドの内容を確認するだけで、それ以上の使われ方はなされていない。
【００２３】
この発明ではこの文字情報のうち特にテレビ番組ガイドをさらに利用する。ユーザが現在見ているテレビ番組を録画するために録画モードが選択されると、記録再生部１６のビデオカセット１８には現在視聴しているテレビ番組が録画される。この録画処理と同時に、録画しているテレビ番組のタイトルの検索処理が、ＲＡＭ２６内のダウンロードデータを利用して実行される。
【００２４】
後述するように、放送時刻を検索することによって録画中のテレビ番組が判明したときには、この例ではその番組が抽出される。抽出された番組タイトルは一旦例えばＲＡＭ２６の別エリアに格納することができる。抽出された番組タイトルは録画媒体に関連させて記録される。
【００２５】
録画媒体として図１に示すようなメモリ付きビデオカセット１８を利用する場合には内蔵されているメモリ（メモリＩＣ）１９に番組タイトルが記録される。これによって録画媒体と番組タイトルとが１対１の関係となり、メモリＩＣ１９から番組タイトルを読み出せば、上述したようにこの番組タイトルによって録画番組を検索したり、録画内容を把握したりすることができる。つまり録画された映像を再生しないでも、簡単かつ確実に、しかも短時間で録画番組の検索などを実行できる。
【００２６】
抽出された番組タイトルは、ＯＳＤ２８を介してモニタ２９に供給することによって、この番組タイトルを録画中の映像や別の映像を表示している画面にスーパーインポーズすることができる。これによって録画中の番組のタイトルを確認することができる。もちろん、記録済みの記録テープを再生中でもメモリＩＣ１９から番組タイトルを読み出し、これをモニタ２９上にスーパーインポーズすることもできる。
【００２７】
ところで、録画中の番組をテレビ番組ガイドの中から検索するには、放送時刻をまず検出し、次に放送時刻と現時刻との照合を逐次行い、現時刻に最も近い放送時刻が存在したときには、その放送時刻の番組を録画中の番組と推定することができる。
【００２８】
このような検出および照合処理を行うためには番組情報の中から最初に表示された放送時刻を検出し、その記述形式に基づいて現時刻との照合を実行すればよい。また番組情報の中から放送時刻を検出するには予め検索エリアを定めておき、このエリア内だけを検索して放送時刻を検出するようにした方が、短時間にしかも確実に目的の放送時刻を検出できる。
【００２９】
放送局によっても相違するが、殆どの場合放送時刻は図３に示すように水平走査開始位置（有効画面内）から所定の桁ｘまでの範囲内に表示されていることが多い。この桁ｘは１３番目の桁付近が多いことが確認された。図３は放送時刻の最後の桁が１３桁目であるときを例示してある。したがって放送時刻の表示エリアｗとしては０番目の桁から１３番目の桁までの範囲ｗを放送時刻の検索エリアとすればよい。
【００３０】
この検索エリアｗ内には上述したように放送時刻の他にページ番号なども表示されていることもある。図３ではｎラインに３０１ページが表示されている場合を示している。そのため放送時刻とそれ以外の数字表示とを識別するために、放送時刻の記述形式を参照する。
【００３１】
放送時刻の記述形式としては図１０にも示したように複数の形式が存在する。これを時間の位をｈｈで表現し、分の位をｍｍで表現して、再整理すると少なくとも図４左欄のような４種類の記述形式が存在する。左欄の記述形式はまた右欄の記述形式と同じパターンと考えられる。したがって放送時刻を検出するためには、少なくとも検索エリアｗを定めると共に、最も好ましくは記述形式を参照しながら放送時刻を検出すればよい。
【００３２】
このような放送時刻の検出処理および番組の記録処理の一実施形態を図５を参照して説明する。同図は現在見ている番組を録画するときに適用されるフローチャートである。
【００３３】
まず、受信した放送局（チャネル）の番号が例えばＲＡＭ２６内にメモリされる（ステップ６２）。次に録画モードの有無が監視され（ステップ６４）、録画スイッチがオンとなり、録画指示信号を制御部２２が取り込むと、受信チャネルのテレビ番組ガイドのうちその日に放送される最初の番組が表示されているページ（開始ページ）が検索される（ステップ６６）。
【００３４】
ここに、テレビ番組ガイドは、その放送局によって全く違ったページに格納されている場合が殆どであり、その番組開始ページがガイド画面に表示されていないケースも多い。これは文字放送の画面内容や表示内容などはそれぞれの放送局に委ねられていて統一されていないからである。また、特にヨーロッパなどでは放送局の数も数１００局以上存在することから、受信チャネルでのテレビ番組ガイドつまり番組開始ページは簡単には検索できなし、録画と同時に検索を行うことも不可能である。
【００３５】
そこで受信できる全ての放送局に対して、その放送局とその放送局でのテレビ番組開始ページを予め対応付けておき、それらをテーブルとしてＲＯＭ２４に用意しておく。こうすれば、選局された放送局が判れば、このテーブルを参照することによって、直ちにその放送局でのテレビ番組の開始ページを検索できるからである。
【００３６】
以上の理由により、図５ステップ６６では受信した放送局のチャネル番号などに基づいてそのチャネルのテレビ番組開始ページが検索される。番組開始ページが検索されると、次にその開始ページ内での放送時刻の記述形式の検出処理が検索エリアｗを用いて実行される（ステップ９０）。
【００３７】
この検出処理によって最初に表示された放送時刻が検出されると、この放送時刻の記述形式を参照して、現時刻（つまり録画時刻）に最も近い放送時刻の検索が実行される。実際に録画している番組が番組開始ページに掲載されているとは限らない。
【００３８】
そのため、実際に録画している番組を検索するため、番組ページに表示されている放送時刻を参照して録画開始時刻に一致する時刻（一番近い放送時刻を含む）をチェックする（ステップ６８）。
【００３９】
時刻が一致するか若しくは録画時刻よりも前の時刻であって、この録画時刻に一番近い放送時刻が存在するときには、その放送時刻を現在録画している番組の放送時刻と判断し、この放送時刻の表示エリア４２の後に続くエリア４４に存在する文字列が番組タイトルであると見なして、この文字列を抽出する（ステップ７０）。
【００４０】
抽出した文字列はＲＡＭ２６の別のエリアに一時的に格納し、他の条件が整ったとき（例えば録画開始時刻から１５分以上経過しているなどと言った条件）、抽出した文字列が制御部２２および接点２１を介してメモリＩＣ１９に記録される。もちろん、抽出された文字列を直ちにメモリＩＣ１９に記録するようにしてもよい。文字列にはヘッダなどを付加して記録することもできるし、放送時刻や受信チャネルを含めて記録することもできる。
【００４１】
番組開始ページに表示された放送時刻と録画開始時刻とが一致しなかったときには、番組ガイドページとして次ページが存在するかどうかを確認する（ステップ７２）。番組ガイドページがサブページ構成のときは、このサブページを次ページとして検索する。次ページが存在するときには検索ページを次ページとして、ステップ６８と同様な一致検索が実行される（ステップ７４，７６）。
【００４２】
この一致検索処理は該当時刻が存在するまで実行され（ステップ７８，７２）、一致するとステップ７０に示す番組タイトル抽出処理に遷移する（ステップ７０）。しかし録画開始時刻から２４時間以上経過しても該当時刻の存在が確認されないことも考えられるので、この場合には最後の番組ページに掲載されている放送時刻を検索時刻と見なす処理が行われる（ステップ８０）。そのときには見なされた放送時刻に関連した番組タイトルを番組情報として抽出することになる。
【００４３】
番組ページは複数のページにわたって掲載される場合が多いが、まれに１ページのみで終了することもある。そのような場合にはステップ７２において次ページが存在しないことになり、その場合にはやむを得ない処理として、ステップ８０に遷移し、最初の番組ページに掲載された最後の放送時刻に関する番組タイトルが便宜的に録画番組のタイトルとして利用される。
【００４４】
また、検索時間を２４時間以内に限定したのは、番組ガイドは複数の曜日にわたって掲載されている場合があるので、２４時間以上検索すると次の日の同じような時刻の番組タイトル（別番組である場合が多い）を抽出してしまうおそれがあるからである。
【００４５】
図６は放送時刻を検出するにあたって記述形式を参照しながら実行する一実施形態である。この実施形態はさらに複数ある記述形式に対して検索の優先順位を付け、順位の高い方から順次検索を行うようにしている。
【００４６】
そのため、まず水平ライン数ｎをリセットし（ステップ９２）、リセットした水平ラインから検索範囲ｗ内に存在する表示データを取得する（ステップ９４）。この表示データは放送時刻用データであったり、ページデータであったり、その他のデータであったりする。
【００４７】
次に、放送時刻の記述形式を参照しながら表示データを検索するが、この例では「ｈｈ．ｍｍ」、「ｈｈｍｍ」、「ｈ．ｍｍ」、［ｈｍｍ」の順のように放送時刻の検索優先順位を付ける（ステップ９６〜１０２）。優先順位は記述形式の多い順からである。優先順位を付けることによって無駄な検索時間を省くことができる。
【００４８】
該当する記述形式に一致する表示データが存在したときにはその表示データが放送時刻を示すデータであると判断し、その記述形式を図４に示す同一パターンと共に記憶する（ステップ１０４〜１１０）。記述形式の記憶と共に、さらに検索された放送時刻の最後の桁の水平位置（桁位置）ｘを記憶する（ステップ１１２）。
【００４９】
水平位置ｘを記憶するのは、図５のステップ６８において録画時刻に関連した放送時刻を検索するとき、その検索エリアを水平位置ｘを基準にしてさらに絞り込めるようにするためである。その放送局での放送時刻の表示位置はどの番組ページでも同じ水平位置に表示されていると考えられるからである。
【００５０】
したがって図３のように１３番目の桁の位置に放送時刻の最後の桁が存在しているようなときには、（ｘ−４）番目の桁からｘ番目の桁までを検索エリアに指定し、それ以外の表示エリアは検索しない。図３の例では８番目の桁から１３番目の桁までの範囲が検索エリアとなる。これによって検索エリアを大幅に絞り込むことができ、検索エリアｗの指定と相まって、放送時刻の検索時間の短縮と検索精度が向上する。
【００５１】
このように放送時刻の記述形式とその水平位置ｘを記憶すると、放送時刻記述形式の検索処理が終了して図５の処理に戻る。
【００５２】
番組開始ページの何ライン目に最初の放送時刻が表示されているかは、検索してみないと判断できないので、全ての記述形式に合致しないときには、検索すべき水平ラインをインクリメントし（ステップ１１４）、インクリメントした水平ラインから再度同じような検索処理が実行される（ステップ９４以下）。
【００５３】
さて、図５の例では現在受信中のテレビ番組を同時に録画する場合について説明してあるが、録画予約がなされているときも全く同じであって、予約時間になると指定チャネルの番組が録画されることになるから、この録画開始と同時に図５および図６に示す処理がスタートする。そして録画時間と放送時刻が一致すれば、その番組タイトルが抽出され、そしてメモリＩＣ１９などのメモリ手段に記録されることになる。
【００５４】
図７はこの発明の他の実施形態を示す。同図は記録再生部が別体構成となされている場合であり、通常この場合の記録再生部はＶＴＲ１７である。ＶＴＲ１７にはビデオカセット３０が装填されるが、このビデオカセット３０としては上述したようにメモリ付きのビデオカセットが使用される。この例ではメモリとして後述するメモリカード（メモリラベル）４０が使用される。
【００５５】
メモリカード４０は送受信機能を有し、内部に設けられた半導体メモリに上述した番組タイトルなどが記録される。そのため、受信装置１０′の制御部２２には抽出した番組タイトルを送受信できる送受信部９６が設けられる他、送受信アンテナ９８が設けられ、メモリカード４０との通信ができるようになっている。
【００５６】
ＶＴＲ１７に対する録画指示は上述したリモコン３４を使用して行うことができる他、キーボードや受信装置１０′に接続されたパソコン（何れも図示はしない）から入力することもできる。このような別体構成の場合でもこの発明を適用できる。
【００５７】
図８はメモリ付きビデオカセット１７に適用できる補助記憶装置としてのメモリカード４０の使用例を示すもので、ビデオカセット３０の筐体に設けられた凹部３１にメモリカード４０が貼着されている。このメモリカード４０に対しては非接触式にデータのリード・ライトが行われる。
【００５８】
メモリカード４０が貼着されたビデオカセット３０がＶＴＲ１７に装着されると、ＶＴＲ１７の内部に配設されたアンテナ（図示はしない）とビデオカセット３０に貼着されたメモリカード４０とが互いに対向するようになる。
【００５９】
メモリカード４０はＶＴＲ１７の内部に設けられたアンテナを介して内部回路と送受信できることはもちろんのこと、ＶＴＲ１７の外部、つまり送受信アンテナ９８を介して受信装置１０′との間でも送受信できる構成となされている。内部回路との送受信を行なえるようにすることによって、受信装置１０′とは関係なく単独でＶＴＲ１７を使用するときには、ＶＴＲ内部で復調された番組情報などがこのメモリカード４０に記録される。
【００６０】
メモリカード４０は図９に示すように構成されており、アンテナ４０１で受信された信号ＲＦＡは同調回路４０２および電源回路４２０に供給される。同調回路４０２では、アンテナ４０１より供給された信号ＲＦＡから所定の搬送波周波数の変調信号ＭＡＲが選択される。この同調回路４０２で得られた変調信号ＭＡＲは、増幅回路４０３で所定のレべルに増幅されてから復調回路４０４に供給される。復調回路４０４では、変調信号ＭＡＲが復調されて受信データ信号ＤＭＲとされる。受信データ信号ＤＭＲは通信制御回路４０５を介してマイコン４１０に供給される。
【００６１】
マイコン４１０には、ＲＯＭ４１１が接続されており、ＲＯＭ４１１に記憶された制御プログラムに従ってメモリカード４０の各部が制御される。また、マイコン４１０には、ＥＥＰＲＯＭ(Electrically Erasable and Programmable Read Only Memory)４１２が接続されており、供給された番組タイトルなどの番組情報がＥＥＰＲＯＭ４１２に記憶される。 
ＥＥＰＲＯＭ４１２に記憶された番組情報がマイコン４１０によって読み出されて送信データ信号ＤＭＳが生成されると、送信データ信号ＤＭＳは通信制御回路４０５を介して変調回路４０６に供給される。
【００６２】
変調回路４０６では、供給された送信デ−タ信号ＤＭＳが所定の搬送波周波数の信号に変調される。この変調回路４０６で得られた変調信号ＭＢＳは増幅回路４０７で通信に必要な信号レベルまで増幅されてからアンテナ４０１に供給されて、アンテナ４０１より搬送波周波数の変調信号ＭＢＳが送信される。
【００６３】
なお、電源回路４２０では、アンテナ４０１とＶＴＲ１７内部のアンテナ（図示はしない）との電磁結合を利用してエネルギーが取り出されて、メモリカード４０で必要とされる電力を生成することができる。
【００６４】
録画媒体としてはメモリ付きビデオカセットを例示したが、メモリのない通常のビデオカセットを使用する場合には、記録テープに番組タイトルを記録すればよい。ビデオカセットに代えてディスク状記録媒体を使用することもできる。ダウンロードして利用する文字情報としては上述したテレビ番組情報以外でも考えられる。
【産業上の利用可能性】
【００６５】
多重された文字情報を復号して元の文字や図形などをモニタ（テレビ画面）上に表示する文字放送受信装置に適用して好適である。
【図面の簡単な説明】
【００６６】
【図１】この発明に係る文字放送受信装置の一実施形態を示す要部の系統図である。
【図２】テレビ番組ガイドの表示内容を示す図である。
【図３】放送時刻の表示位置を示す図である。
【図４】放送時刻の記述形式例を示す図である。
【図５】番組検索処理例を示すフローチャートである。
【図６】放送時刻の検出処理の一実施形態を示すフローチャートである。
【図７】この発明に係る文字放送受信装置の他の実施形態を示す要部の系統図である。
【図８】メモリ付きビデオカセットの斜視図である。
【図９】メモリラベルの構成図である。
【図１０】放送時刻の記述形式例を示す図である。
【符号の説明】
【００６７】
１０，１０′・・・文字放送受信装置、２０・・・文字放送用デコーダ、２６・・・番組データの一時格納用メモリ、２２・・・制御部、１６・・・記録再生部、１７，１８・・・ビデオカセット、１９・・・メモリＩＣ、４０・・・メモリラベル
【図１】
2008193750.tif 000003
【図２】
2008193750.tif 000004
【図３】
2008193750.tif 000005
【図４】
2008193750.tif 000006
【図５】
2008193750.tif 000007
【図６】
2008193750.tif 000008
【図７】
2008193750.tif 000009
【図８】
2008193750.tif 000010
【図９】
2008193750.tif 000011
【図１０】
2008193750.tif 000012